(57)【要約】【課題】接続確認機能を併せ持ったリテーナを有するクイックコネクタを提供する。【解決手段】リテーナ７を、取り付け部７３の取り付け用弾性変形脚部９５の長さ方向一方側が、リテーナ保持部４９の取り付け用凹部に入り込み、保持係合部９７が、リテーナ保持部４９の位置決め孔６３に係合するように、第１の位置で、リテーナ保持部４９に嵌め付ける。第１の位置では、リテーナ７の長さ方向他方側は、コネクタハウジング３の長さ方向他端開口５から突出している。パイプ体をリテーナ７の内側からコネクタハウジング３内に挿入し、環状係合突部とパイプ体係合部７１とが係合するように操作する。リテーナ７が第２の位置まで移動したことを確認して、接続作業を完了する。【選択図】図２
2010270838.tif 000002
【特許請求の範囲】
【請求項１】
長さ方向一方側にチューブ接続部を有し、長さ方向他方側にリテーナ保持部が設けられ、内周面に環状シール部材を備えたシール部が形成されているコネクタハウジングと、前記コネクタハウジングの長さ方向他端開口から前記リテーナ保持部内に嵌め付けられたリテーナと、を具備し、外周面に環状係合突部が形成されたパイプ体が、前記リテーナの内側を通って前記コネクタハウジング内に相対的に挿入されることにより、前記パイプ体と接続されるように構成され、前記パイプ体は、前記環状係合突部が前記リテーナ内を長さ方向一方側に相対的に進行して前記リテーナと係合するように、前記コネクタハウジング内に相対的に挿入される、といったクイックコネクタであって、
前記リテーナには、取り付け部及びパイプ体係合部が設けられ、前記リテーナ保持部には、位置決め凹部、この位置決め凹部よりも長さ方向一方側の確認固定凹部及びストッパ部が形成され、
前記リテーナは、前記取り付け部の前記位置決め凹部への係合により、長さ方向一方側が前記リテーナ保持部内に嵌まり込み、長さ方向他方側が前記コネクタハウジングの長さ方向他端開口から突出した第１の位置で、前記リテーナ保持部に保持され、かつ、前記取り付け部の前記確認固定凹部への係合により、前記第１の位置よりも長さ方向一方側の第２の位置で、前記リテーナ保持部に保持されるように構成され、
前記ストッパ部は、前記第１の位置に保持された前記リテーナ内を前記パイプ体の前記環状係合突部が長さ方向一方側に相対的に進行するとき、前記リテーナの長さ方向一方側への移動を阻止するように前記パイプ体係合部と係合するものであり、
前記リテーナはさらに、前記環状係合突部が前記パイプ体係合部と係合すると、前記取り付け部が前記確認固定凹部と係合するまで、前記第１の位置から前記第２の位置まで相対的に移動できるように形成されている、ことを特徴とするクイックコネクタ。
【請求項２】
前記リテーナは、前記パイプ体の前記環状係合突部が通過できるように形成された環状の又はほぼ環状の支持部を有し、前記取り付け部及び前記パイプ体係合部は、この支持部から長さ方向一方側に突出し又は延びるように設けられている、ことを特徴とする請求項１記載のクイックコネクタ。
【請求項３】
前記パイプ体係合部は、前記支持部に一体的に形成されて長さ方向一方側に延びるパイプ体用弾性変形脚部と、このパイプ体用弾性変形脚部の長さ方向一端部に形成された係合固定部と、を有し、前記パイプ体の前記環状係合突部は、前記係合固定部と係合する、ことを特徴とする請求項２記載のクイックコネクタ。
【請求項４】
前記パイプ体用弾性変形脚部の径方向内面は、前記環状係合突部の通過路の内側に突出するように、長さ方向一方側に向かって径方向内側に傾斜し、前記係合固定部は、前記パイプ体用弾性変形脚部を径方向外側に変形させて相対的に通過した前記環状係合突部と係合するように形成されている、ことを特徴とする請求項３記載のクイックコネクタ。
【請求項５】
前記取り付け部は、前記支持部に一体的に形成されて長さ方向一方側に延びるハウジング用弾性変形脚部と、このハウジング用弾性変形脚部の長さ方向一端部に形成された保持係合部と、を有し、
前記リテーナは、前記保持係合部が前記位置決め凹部に嵌まり込んで係合することにより、前記第１の位置で前記リテーナ保持部に保持され、かつ、前記保持係合部が前記確認固定凹部に嵌まり込んで係合することにより、前記第２の位置で前記リテーナ保持部に保持されるように構成されている、ことを特徴とする請求項２記載のクイックコネクタ。
【請求項６】
前記ストッパ部は、前記パイプ体用弾性変形脚部の径方向外側への変形により径方向外側に移動した前記係合固定部と係合し、前記パイプ体用弾性変形脚部の径方向内側への弾性復帰により前記係合固定部が径方向内側に移動すると、前記係合固定部との係合を解除するように形成されている、ことを特徴とする請求項４記載のクイックコネクタ。
【請求項７】
前記パイプ体係合部は、前記支持部の径方向対称個所に一対設けられている、ことを特徴とする請求項２記載のクイックコネクタ。
【請求項８】
前記取り付け部は、前記支持部の径方向対称個所に一対設けられている、ことを特徴とする請求項２記載のクイックコネクタ。
【請求項９】
前記パイプ体係合部は、前記支持部の径方向対称個所に一対設けられ、前記取り付け部は、前記パイプ体係合部から周方向に９０度ずれるようにして、前記支持部の径方向対称個所に一対設けられている、ことを特徴とする請求項２記載のクイックコネクタ。
【請求項１０】
前記確認固定凹部は前記リテーナ保持部に形成された確認固定孔であり、前記リテーナ保持部の外周には、係合爪部を有し、この係合爪部が前記確認固定凹部に入り込んで係合したチェッカーが取り付けられていて、
前記確認固定凹部への前記係合爪部の係合は、前記保持係合部が前記確認固定凹部に嵌まり込んで係合することにより解除される、ことを特徴とする請求項５記載のクイックコネクタ。
【請求項１１】
流体移送用の配管接続構造であって、
請求項１乃至９のいずれかに記載のクイックコネクタと、
前記クイックコネクタの前記チューブ接続部に嵌め付けられたチューブと、
前記クイックコネクタに接続されたパイプ体と、を備え、
前記リテーナは、前記取り付け部が前記確認固定凹部と係合する前記第２の位置で前記リテーナ保持部に保持されていて、
前記パイプ体は、前記環状係合突部が前記パイプ体係合部と係合して前記クイックコネクタに接続されている、ことを特徴とする配管接続構造。
【請求項１２】
流体移送用の配管接続構造であって、
請求項１０に記載のクイックコネクタと、
前記クイックコネクタの前記チューブ接続部に嵌め付けられたチューブと、
前記クイックコネクタに接続されたパイプ体と、を備え、
前記リテーナは、前記取り付け部が前記確認固定凹部と係合する前記第２の位置で前記リテーナ保持部に保持され、前記チェッカーは、前記取り付け部が前記確認固定凹部に嵌まり込んで係合するとき、前記係合爪部の前記確認固定凹部との係合が解除されていて、
前記パイプ体は、前記環状係合突部が前記パイプ体係合部と係合して前記クイックコネクタに接続されている、ことを特徴とする配管接続構造。
【発明の詳細な説明】
【技術分野】
【０００１】
本発明は、例えば自動車の燃料配管に用いられるクイックコネクタ及びこのクイックコネクタを用いた配管接続構造に関する。
【背景技術】
【０００２】
自動車の燃料配管には、軽くて取り扱い性に優れ、高い耐燃料透過性を有する樹脂チューブが用いられているが、この樹脂チューブを燃料タンクなどの自動車機器に連結するには、樹脂チューブの長さ方向端部にクイックコネクタを取り付けて配管用接続体を構成し、燃料タンク等に突出形成したパイプ体にこのクイックコネクタを嵌め付け、配管用接続体をパイプ体に接続している。クイックコネクタは、長さ方向一方側にチューブ接続部を有し、長さ方向他方側にリテーナ保持部が設けられ、内周面に環状シール部材を備えたシール部が形成されているコネクタハウジングと、このコネクタハウジングの長さ方向他端開口からリテーナ保持部内に嵌め付けられたリテーナと、を具備していて、樹脂チューブは、長さ方向端部の嵌め付け部がチューブ接続部の外周にきつく嵌め付けられることにより、クイックコネクタに接続される。チューブ接続部の外周面には、環状の抜け止め突部が形成されていて、抜け止め突部が樹脂チューブの嵌め付け部に食い込むように係合することにより、樹脂チューブはチューブ接続部に抜け止め状態で強固に接続されることとなる。
【０００３】
クイックコネクタが接続されるパイプ体は、外周面に環状係合突部を有していて、この環状係合突部がリテーナとスナップ係合することにより、クイックコネクタとパイプ体とが接続される。したがって、クイックコネクタをパイプ体に接続するときには、パイプ体の環状係合突部がリテーナにスナップ係合する直前に、環状係合突部からリテーナに大きな反力が加わるので、十分注意してクイックコネクタの接続作業を行わないと、環状係合突部がリテーナに正規に係合していない状態で接続作業を終了してしまう可能性がある（このような不十分な又は正常でない接続状態を半嵌合状態という）。そして、クイックコネクタがパイプ体に正常に接続されていなければ、車両の振動などにより、クイックコネクタがパイプ体から抜ける方向にずれて、燃料などの内部流体が漏れ出てしまうおそれがある。
【０００４】
そこで、例えば特許文献１や特許文献２に記載されているように、係合爪部を有する接続確認用のチェッカーを、リテーナ保持部に形成した係合窓にこの係合爪部が引き抜き方向に係合するように、リテーナ保持部に取り付けておくといったことが行われている。チェッカーの係合爪部は、係合窓からリテーナ保持部内に突出していて、パイプ体の環状係合突部がリテーナと正常にスナップ係合したときに、この環状係合突部に押されて、係合窓への係合が解除されるように形成されている。したがって、パイプ体とクイックコネクタとが正常に接続されているときには、チェッカーの引っ張りリングを引っ張れば、チェッカーがリテーナ保持部から外れることとなる。反対に、パイプ体とクイックコネクタとが正常に接続されていなければ、チェッカーの引っ張りリングを引っ張っても、チェッカーはリテーナ保持部から外れない。そこで、チェッカーの引っ張りリングを引き抜き方向に引っ張ることにより、クイックコネクタとパイプ体との接続状態を正しく確認することができる。
【０００５】
ところが、接続確認用のチェッカーは薄く形成されていて、引っ張りリングが軸直角方向から長さ方向に傾いて斜めに引っ張られたような場合には、チェッカーが長さ方向に傾いてしまい、係合爪部が変形して係合窓から外れ、クイックコネクタがパイプ体に正常に接続されていなくても、チェッカーをリテーナ保持部から取り外すことができてしまう可能性がある。
【０００６】
そこで、特許文献１に記載されたクイックコネクタでは、チェッカーに長さ方向に延びる傾動規制部を形成して、チェッカーの長さ方向への傾きを防止している。また、特許文献２に記載されたクイックコネクタでも、リテーナ保持部に嵌込溝を形成し、この嵌込溝内にチェッカーを収めることにより、チェッカーの長さ方向への傾きを防止している。
【先行技術文献】
【特許文献】
【０００７】
【特許文献１】特開平１１−３４４１８２号公報
【特許文献２】特開２００３−２５４４８４号公報
【発明の概要】
【発明が解決しようとする課題】
【０００８】
ところで、特許文献１や特許文献２に記載されたパイプ体の接続確認構造では、クイックコネクタをパイプ体に嵌め付けてから、チェッカーを引っ張ってリテーナ保持部から取り外す必要があり、配管接続構造の構成作業が煩雑である。また、特許文献１や特許文献２のクイックコネクタは、リテーナとチェッカーとを別部品として有しているので、部品点数が多くなっている。あるいは、特許文献１や特許文献２のクイックコネクタでは、接続確認後にチェッカーが廃棄されるので、クイックコネクタをパイプ体から外し、再びパイプ体に接続する場合に、接続確認を行うことができない。さらに、特許文献１や特許文献２のクイックコネクタでは、チェッカーは、軸直角方向に移動させて取り外す部材なので、周辺機器との関係で、迅速に取り外し操作ができない場合がある。そして、特許文献１や特許文献２のクイックコネクタの構成では、パイプ体の環状係合突部とリテーナとのスナップ係合と、パイプ体のコネクタハウジングの所定位置への挿入又は環状係合突部のコネクタハウジングの所定の位置への到達とが同時に行われるので、環状係合突部とリテーナとの半嵌合が生じやすい。しかも、特許文献１や特許文献２の接続確認構造とは異なる接続確認構造も要望されている。例えば、より精度の高い接続確認構造が必要である。
【０００９】
そこで本発明は、上記の問題点の少なくとも１つを解決するためのクイックコネクタ及び配管接続構造の提供を目的とする。
【課題を解決するための手段】
【００１０】
この目的を達成するための本発明のクイックコネクタは、長さ方向一方側にチューブ接続部を有し、長さ方向他方側にリテーナ保持部が設けられ、内周面に環状シール部材を備えたシール部が形成されているコネクタハウジングと、前記コネクタハウジングの長さ方向他端開口から前記リテーナ保持部内に嵌め付けられたリテーナと、を具備し、外周面に環状係合突部が形成されたパイプ体が、前記リテーナの内側を通って前記コネクタハウジング内に相対的に挿入されることにより、前記パイプ体と接続されるように構成され、前記パイプ体は、前記環状係合突部が前記リテーナ内を長さ方向一方側に相対的に進行して前記リテーナと係合、例えばスナップ係合するように、例えば前記環状係合突部が前記コネクタハウジングの所定の位置に到達するまで、前記コネクタハウジング内に相対的に挿入される、といったクイックコネクタであって、前記リテーナには、取り付け部及びパイプ体係合部が設けられ、前記リテーナ保持部には、位置決め凹部、この位置決め凹部よりも長さ方向一方側の確認固定凹部及びストッパ部が形成され、前記リテーナは、前記取り付け部の前記位置決め凹部への係合により、長さ方向一方側が前記リテーナ保持部内に嵌まり込み、長さ方向他方側が前記コネクタハウジングの長さ方向他端開口から突出した第１の位置で、前記リテーナ保持部に保持され、かつ、前記取り付け部の前記確認固定凹部への係合により、前記第１の位置よりも長さ方向一方側の第２の位置で、前記リテーナ保持部に保持されるように構成され、前記ストッパ部は、前記第１の位置に保持された前記リテーナ内を前記パイプ体の前記環状係合突部が長さ方向一方側に相対的に進行するとき、前記リテーナの長さ方向一方側への移動を阻止するように前記パイプ体係合部と係合するものであり、例えば、前記環状係合突部が前記パイプ体係合部と係合したときに、前記パイプ体係合部との係合を解除するように形成されていて、前記リテーナはさらに、前記環状係合突部が前記パイプ体係合部と係合すると、前記取り付け部が前記確認固定凹部と係合するまで、前記第１の位置から前記第２の位置まで相対的に移動できるように形成されている、といったものである。なお、「長さ方向」とは、コネクタハウジング又はリテーナ保持部の長さ方向を意味する。
【００１１】
リテーナ内をパイプ体の環状係合突部が長さ方向一方側に相対的に進行するときは、ストッパ部とパイプ体係合部との係合（係合可能状態を含む）により、確実に、リテーナは長さ方向一方側に移動することはできず、第１の位置でリテーナ保持部に保持されたままとなる。ここでは、取り付け部と位置決め凹部との係合力だけでリテーナを第１の位置に確実に保持できるように構成する必要はなく、取り付け部の位置決め凹部との長さ方向一方側への係合力を小さく設定することができる。パイプ体の環状係合突部は、第１の位置に保持されたリテーナと係合、例えばスナップ係合するが、パイプ体の環状係合突部がリテーナ内に位置すると直ちに、ストッパ部がパイプ体係合部と係合するように構成することができる。あるいは、パイプ体の環状係合突部が長さ方向一方側に進行してからストッパ部がパイプ体係合部と係合するといったように構成することもできる。そして、環状係合突部がパイプ体係合部と係合すると、例えばストッパ部とパイプ体係合部との係合（係合可能状態を含む）は解除されるので、パイプ体が相対的にクイックコネクタに押し込まれるように、クイックコネクタを押せば、取り付け部の位置決め凹部との長さ方向一方側の係合力は小さいので、パイプ体の挿入に伴ってリテーナが第２の位置まで相対的に簡単に移動する。リテーナが第２の位置に移動するとき、パイプ体は、例えばコネクタハウジングのシール部に所定の長さだけ差し込まれることとなる。あるいは、例えば、先端部がパイプ支持部の所定の位置まで差し込まれることとなる。すなわち、クイックコネクタは、パイプ体の先端部がコネクタハウジングの予め定められた位置（所定の位置）まで達するように、あるいはパイプ体の環状係合突部が、例えばストッパ部を越えた、所定の位置まで到達するようにパイプ体に嵌め付けられて接続されるが、リテーナが第１の位置でパイプ体の環状係合突部と係合してから、リテーナが第２の位置に相対的に移動したときに、パイプ体の先端部又は環状係合突部はコネクタハウジングのこの所定の位置に到達する。したがって、パイプ体の環状係合突部がリテーナと係合、例えばスナップ係合するときは、パイプ体の先端部又は環状係合突部は、コネクタハウジングの所定の位置まで達していないので、スナップ係合時にパイプ体がコネクタハウジング（環状シール部材やパイプ支持部）から受ける反力は小さい。そして、コネクタハウジングの長さ方向他端開口からのリテーナの突出状態を確認すれば、パイプ体が正常にクイックコネクタに接続されているか否かが確認できる。
【００１２】
リテーナは、パイプ体の環状係合突部が通過できるように形成された環状の又はほぼ環状の支持部を有するように形成でき、取り付け部及びパイプ体係合部は、この支持部から長さ方向一方側に突出し又は延びるように設けることができる。そして、パイプ体係合部を、支持部に一体的に形成されて長さ方向一方側に延びるパイプ体用弾性変形脚部と、このパイプ体用弾性変形脚部の長さ方向一端部に形成された係合固定部と、を有し、パイプ体の環状係合突部が、この係合固定部と係合、例えばスナップ係合するように形成すれば、係合固定部の十分な動作、例えばスナップ動作を確保できる。また、パイプ体用弾性変形脚部の径方向内面を、環状係合突部の通過路の内側に突出するように、長さ方向一方側に向かって径方向内側に傾斜させ、係合固定部が、パイプ体用弾性変形脚部を径方向外側に変形させて相対的に通過した環状係合突部と係合、例えばスナップ係合するように構成すれば、係合固定部のスムーズな動作、例えばスナップ動作が達成される。なお、「径方向」とは、コネクタハウジング又はリテーナ保持部の径方向を意味する。
【００１３】
取り付け部を、支持部に一体的に形成されて長さ方向一方側に延びるハウジング用弾性変形脚部と、このハウジング用弾性変形脚部の長さ方向一端部に形成された保持係合部と、を有するように形成し、リテーナが、保持係合部の位置決め凹部への嵌まり込み係合により、第１の位置でリテーナ保持部に保持され、かつ、保持係合部の確認固定凹部への嵌まり込み係合により、第２の位置で前記リテーナ保持部に保持されるように構成すれば、リテーナの十分な保持力と、リテーナのスムーズな長さ方向一方側への移動性とを同時に確保することができる。
【００１４】
ストッパ部を、パイプ体用弾性変形脚部の径方向外側への変形により径方向外側に移動した係合固定部と係合し、パイプ体用弾性変形脚部の径方向内側への弾性復帰により係合固定部が径方向内側に移動すると、係合固定部との係合を解除するように形成すれば、簡単な構成で、効果的なストッパ機能を確保できる。
【００１５】
パイプ体係合部を支持部の径方向対称個所に一対設ければ、パイプ体に安定して抜け止め状態でクイックコネクタを接続できる。また、取り付け部を支持部の径方向対称個所に一対設ければ、リテーナをリテーナ保持部に安定して保持することができる。より効果的には、パイプ体係合部を、支持部の径方向対称個所に一対設け、取り付け部を、パイプ体係合部から周方向に９０度ずれるようにして、支持部の径方向対称個所に一対設ける。
【００１６】
確認固定凹部をリテーナ保持部に形成された確認固定孔、例えば径方向に開けられた確認固定孔とし、リテーナ保持部の外周に、係合爪部を有するチェッカーを、この係合爪部が確認固定凹部に入り込んで係合するように取り付けておき、確認固定凹部への係合爪部の係合、例えば確認固定凹部への係合爪部の外側からの係合が、確認固定凹部への保持係合部の嵌まり込み係合、例えば確認固定凹部への保持係合部の内側からの係合により解除されるように構成すれば、確実な接続確認構造が構成される。ここでは、確認固定凹部への保持係合部の内側からの係合により、係合爪部が確認固定凹部から押し出されるように構成することができる。
【００１７】
また、本発明の配管接続構造は、流体移送用の配管接続構造であって、請求項１乃至９のいずれかに記載のクイックコネクタと、前記クイックコネクタの前記チューブ接続部に嵌め付けられたチューブと、前記クイックコネクタに接続されたパイプ体と、を備え、前記リテーナは、前記取り付け部が前記確認固定凹部と係合する前記第２の位置で前記リテーナ保持部に保持されていて、前記パイプ体は、前記環状係合突部が前記パイプ体係合部とスナップ係合して前記クイックコネクタに接続されている、といったものである。あるいは、本発明の配管接続構造は、流体移送用の配管接続構造であって、請求項１０に記載のクイックコネクタと、前記クイックコネクタの前記チューブ接続部に嵌め付けられたチューブと、前記クイックコネクタに接続されたパイプ体と、を備え、前記リテーナは、前記取り付け部が前記確認固定凹部と係合する前記第２の位置で前記リテーナ保持部に保持され、前記チェッカーは、前記取り付け部が前記確認固定凹部に嵌まり込んで係合するとき、前記係合爪部の前記確認固定凹部との係合が解除されていて、例えば、前記チェッカーは、前記確認固定凹部又は前記コネクタハウジングから取り外され、前記パイプ体は、前記環状係合突部が前記パイプ体係合部とスナップ係合して前記クイックコネクタに接続されている、といったものである。
【発明の効果】
【００１８】
本発明によれば、接続確認機能を併せ持ったリテーナを有するクイックコネクタ及びこのクイックコネクタを用いた流体移送用の配管接続構造を提供できる。
【図面の簡単な説明】
【００１９】
【図１】本発明に係る第１のクイックコネクタの分解斜視図である。
【図２】リテーナが第１の位置で保持されている第１のクイックコネクタの斜視図である。
【図３】リテーナが第１の位置で保持されている第１のクイックコネクタの断面図である。
【図４】リテーナを分離した第１のクイックコネクタの断面図である。
【図５】リテーナを分離した第１のクイックコネクタの別の断面図である。
【図６】リテーナの拡大図である。
【図７】第１のクイックコネクタをパイプ体に接続して本発明に係る第１の配管接続構造を構成する場合を説明するための図であり、パイプ体係合部とストッパ部とが係合した状態を示す図である。
【図８】第１のクイックコネクタをパイプ体に接続して本発明に係る第１の配管接続構造を構成する場合を説明するための図であり、パイプ体係合部とパイプ体の環状係合突部とが係合した状態を示す図である。
【図９】第１のクイックコネクタをパイプ体に接続して本発明に係る第１の配管接続構造を構成する場合を説明するための図であり、パイプ体との接続が完了した状態（第１の配管接続構造）を示す図である。
【図１０】第１の配管接続構造を示す斜視図である。
【図１１】リテーナをリテーナ保持部に押し込んでからパイプ体に接続した場合を説明するための図である。
【図１２】本発明に係る第２のクイックコネクタの分解斜視図である。
【図１３】リテーナが第１の位置で保持されている第２のクイックコネクタの斜視図である。
【図１４】リテーナが第１の位置で保持されている第２のクイックコネクタの断面図である。
【図１５】リテーナを分離した第２のクイックコネクタの断面図である。
【図１６】リテーナを分離した第２のクイックコネクタの別の断面図である。
【図１７】リテーナの拡大図である。
【図１８】パイプ体を第２のクイックコネクタの所定の位置の直前まで挿入した状態を示す図である。
【図１９】第２の配管接続構造を示す断面図である。
【図２０】第２の配管接続構造を示す別の断面図である。
【図２１】別の第２の配管接続構造を示す斜視図である。
【発明を実施するための形態】
【００２０】
以下、本発明の実施の形態を図面を参照して説明する。
【００２１】
図１乃至図６を参照して本発明に係る第１のクイックコネクタを説明する。
【００２２】
第１のクイックコネクタ１は、例えばガラス繊維強化ポリアミド製である筒状のコネクタハウジング３と、コネクタハウジング３の長さ方向他端開口５からコネクタハウジング３内に嵌められた、例えばポリアミド製であるリテーナ７と、を備えていて、自動車のガソリン燃料配管を構成するために用いられるものである。コネクタハウジング３は、長さ方向一方側がチューブ接続部９、そして長さ方向他方側がパイプ挿入部１１として形成され、パイプ挿入部１１の外径は、長さ方向一方側から長さ方向中間、そして長さ方向他方側まで順次段階的に大径となっている。
【００２３】
チューブ接続部９は、長さ方向一端側から順に、長さ方向他方側に向かって拡径する第１の断面台形状部１３、この第１の断面台形状部１３の長さ方向他方側の第１の小径部１５、この第１の小径部１５の長さ方向他方側のフランジ状部１７、このフランジ状部１７の長さ方向他方側の第２の小径部１９、この第２の小径部１９の長さ方向他方側の第２の断面台形状部２１及びこの第２の断面台形状部２１の長さ方向他方側の円筒状部２３を一体的に備えて形成され、内部をガソリン燃料流路２５が貫通していて、このガソリン燃料流路２５は、パイプ挿入部１１のパイプ挿入孔２７に連通している。また、第１の小径部１５の外周にはゴム製の環状シール２９が嵌められている。そして、このような構成のチューブ接続部９の外周に、樹脂チューブ３１の長さ方向端部がきつく嵌め付けられて接続される（図７等参照）。チューブ接続部９のフランジ状部１７の長さ方向他端外周縁及び第２の断面台形状部２１の長さ方向他端外周縁は、樹脂チューブ３１に食い込んで樹脂チューブ３１に対する抜け止めとして機能する。樹脂チューブ３１は、例えば、燃料不透過性のバリア層を備えた積層構造体として形成されていて、長さ方向端縁部を拡径しやすくするために、長さ方向端縁部の外層は切り取られている（図７の符号３３の個所参照）。
【００２４】
パイプ挿入部１１の長さ方向一方側のパイプ挿入孔３５は、パイプ体３７（図９等参照）の外径とほぼ等しい内径を有し、この長さ方向一方側のパイプ挿入孔３５内に挿入されたパイプ体３７をガタがないように支持する。パイプ挿入部１１の長さ方向中間のパイプ挿入孔３９は、パイプ体３７よりも大径に形成されていて、例えばフッ素ゴム製の一対の環状シール部材４１を収容してシール部４３を形成している。一対の環状シール部材４１の間には、樹脂製のカラー４５が配置されている。また、長さ方向中間のパイプ挿入孔３９の長さ方向他方側には樹脂製のブッシュ４７が嵌め付けられていて、このブッシュ４７の内径は、長さ方向一方側のパイプ挿入孔３５の内径と同一又はほぼ同一に設定されているが、ブッシュ４７の内周の長さ方向他端部は、パイプ体３７を挿入しやすくするために、長さ方向他方側に向かって拡径するように形成されている。
【００２５】
パイプ挿入部１１の長さ方向他方側はリテーナ保持部４９を形成し、このリテーナ保持部４９のパイプ挿入孔５１には、径方向対称位置で、一対の長さ方向に延びるパイプ体用凹部５３が形成され、このパイプ体用凹部５３と周方向に９０度ずれた径方向対称位置で、一対の長さ方向に延びる取り付け用凹部５５が形成されている。パイプ体用凹部５３は、長さ方向他方側のストッパ凹部５７と、このストッパ凹部５７よりも浅い、長さ方向一方側のガイド凹部５９と、を有していて、ストッパ凹部５７とガイド凹部５９との間の段部６１がストッパ部を形成する。取り付け用凹部５５は、長さ方向中間で、底壁（リテーナ保持部４９の周壁）に径方向に開けられた位置決め孔（位置決め凹部）６３を有し、この位置決め孔６３よりも長さ方向一方側でリテーナ保持部４９の周壁に径方向に開けられて設けられた確認固定孔（確認固定凹部）６５に連らなっている。
【００２６】
リテーナ７は、通過孔６７を有するドーナツ状又は円環状の薄肉の支持部６９と、この支持部６９の裏面の径方向対称位置から長さ方向一方側に延びる一対のパイプ体係合部７１と、支持部６９の裏面の、パイプ体係合部７１と周方向に９０度ずれた径方向対称位置から長さ方向一方側に延びる一対の取り付け部７３と、を一体的に備えている。支持部６９の外径は、コネクタハウジング３又はリテーナ保持部４９の長さ方向他端の外径とほぼ等しいように設定されている。
【００２７】
パイプ体係合部７１は、支持部６９の裏面から長さ方向一方側に延びる、支持部６９と一体的に形成されたパイプ体用弾性変形脚部７５と、このパイプ体用弾性変形脚部７５の長さ方向一端部に一体的に設けられた係合固定部７７と、を有し、パイプ体係合部７１の外面は、断面形状で、長さ方向に沿った直線状に形成されている。支持部６９の通過孔６７（通過孔６７の内周面）は、長さ方向一方側に向かってテーパ状に縮径するように形成され、パイプ体用弾性変形脚部７５の径方向内面７９は、断面形状で、この通過孔６７の延長線として、長さ方向一方側に向かって径方向内側に傾斜して延びている（パイプ体用弾性変形脚部７５の径方向内面７９の長さ方向一端部は、断面形状で、長さ方向に沿った短い直線状に形成されている）。係合固定部７７は、長さ方向部８１と、この長さ方向部８１の長さ方向一端部から径方向内側に突出する押し込み部８３と、を一体的に有して断面Ｌ字状（長さ方向部８１の長さ方向他端部に径方向内側への突出部を有するＬ字状）に形成されていて、係合固定部７７の径方向内側は、パイプ体用弾性変形脚部７５の径方向内面７９の長さ方向一方側で、パイプ体３７の環状係合突部８５（図７等参照）と嵌り合う接続凹部８７を形成している。接続凹部８７は、パイプ体用弾性変形脚部７５の径方向内面７９の長さ方向一端から長さ方向一方側に向かって径方向外側に傾斜して延びる抜け止め面８９と、この抜け止め面８９の長さ方向一端から長さ方向一方側に延びる長さ方向面９１と、この長さ方向面９１の長さ方向一端から径方向内側に延びる押し込み面９３と、を有している。
【００２８】
取り付け部７３は、支持部６９の裏面から長さ方向一方側に延びる、支持部６９と一体的に形成された取り付け用弾性変形脚部９５と、この取り付け用弾性変形脚部９５の長さ方向一端部に一体的に設けられた、径方向外側に突出する保持係合部９７と、を有し、保持係合部９７の長さ方向他端面９９は、長さ方向と直交又はほぼ直交するように形成されているが、保持係合部９７の長さ方向一方側面１０１は、径方向外側に向かって長さ方向他方側に傾斜している。また、取り付け用弾性変形脚部９５の外面には、保持係合部９７の長さ方向他方側で、補助係合部１０２が形成されている。
【００２９】
リテーナ７は、取り付け部７３の取り付け用弾性変形脚部９５の長さ方向一方側が、リテーナ保持部４９の取り付け用凹部５５内に収容され、保持係合部９７が、取り付け用凹部５５の位置決め孔６３内に嵌まり込んでこの位置決め孔６３と抜け止め係合するように、第１の位置（図２及び３参照）で、リテーナ保持部４９に嵌め付けられている。第１の位置では、リテーナ７の長さ方向他方側は、コネクタハウジング３の長さ方向他端開口５から突出している。
【００３０】
図７乃至図９は第１のクイックコネクタ１をパイプ体３７に接続して本発明に係る第１の配管接続構造を構成する場合を説明するための図である。なお、説明の便宜上、パイプ体３７を第１のクイックコネクタ１に接続するものとして次の説明を行う。
【００３１】
パイプ体３７は、第１の位置に保持されたリテーナ７の通過孔６７を通ってコネクタハウジング３内に挿入される。パイプ体３７の環状係合突部８５の外径は、支持部６９の通過孔６７の長さ方向一端の内径とほぼ等しいように設定されているので、環状係合突部８５が通過孔６７を通過するあたりから、環状係合突部８５は、パイプ体係合部７１のパイプ体用弾性変形脚部７５に長さ方向一方側の押圧力を作用させ始める。なお、取り付け部７３の内面同士の径方向間隔は、環状係合突部８５の外径よりも広い。環状係合突部８５が接触するパイプ体用弾性変形脚部７５の径方向内面７９は、長さ方向一方側に向かって径方向内側に傾斜して延びているので、環状係合突部８５は、パイプ体用弾性変形脚部７５を径方向外側に変形させながら、長さ方向一方側に進行する。したがって、環状係合突部８５からパイプ体用弾性変形脚部７５に加わる長さ方向一方側の押圧力は、環状係合突部８５の進行にしたがって次第に大きくなっていく。ところが、リテーナ保持部４９又は取り付け用凹部５５の位置決め孔６３内に嵌まり込んでこの位置決め孔６３と係合している保持係合部９７の長さ方向一方側面１０１は、径方向外側に向かって長さ方向他方側に傾斜している（図５参照）。ここでは、パイプ体用弾性変形脚部７５の径方向内面７９の傾きを、保持係合部９７の長さ方向一方側面１０１の傾きよりも緩く設定しているので、環状係合突部８５がパイプ体用弾性変形脚部７５の径方向内面７９と接触すると直ちに、保持係合部９７が位置決め孔６３から外れる又は抜け出るといったことはないが、やがて、次第に大きくなっていく環状係合突部８５から加わる押圧力が、保持係合部９７の位置決め孔６３への係合力を上回ることとなる。あるいは上回るおそれがある。しかしながら、このときには、径方向外側に変形したパイプ体用弾性変形脚部７５にともなって、係合固定部７７も径方向外側に移動し、ストッパ部６１と係合しているので、リテーナ７は第１の位置に保持される（図７：図７では係合固定部７７はストッパ部６１と係合可能状態となっている）。
【００３２】
パイプ体３７の環状係合突部８５がパイプ体用弾性変形脚部７５を通過すると、パイプ体用弾性変形脚部７５は、長さ方向に沿って延びるように弾性復帰し、環状係合突部８５は係合固定部７７の接続凹部８７とスナップ係合する。パイプ体用凹部５３のガイド凹部５９同士の径方向間隔は、弾性復帰したパイプ体係合部７１又は係合固定部７７の径方向外面同士の径方向間隔とほぼ等しいか、あるいは、弾性復帰したパイプ体係合部７１又は係合固定部７７の径方向外面同士の径方向間隔よりも若干大きいので、係合固定部７７とストッパ部６１との係合は解除される（図８）。
【００３３】
次に、パイプ体３７をさらにコネクタハウジング３内に押し込むと、パイプ体３７の環状係合突部８５は、パイプ体係合部７１の押し込み部８３又は押し込み面９３と係合しているので、パイプ体３７の押し込みにともなって、保持係合部９７の長さ方向一方側面１０１が位置決め孔６３の長さ方向一端上をスライドし、保持係合部９７が位置決め孔６３から外れ（図３及び図５に二点鎖線で示すような態様で変形して外れる）、リテーナ７が長さ方向一方側に移動する。そして、保持係合部９７は、確認固定孔６５内に嵌まり込んで抜け止め係合し、リテーナ７は第２の位置に移動して固定される（図１０に示す本発明に係る第１の配管接続構造も参照）。また、取り付け部７３に設けられた補助係合部１０２は位置決め孔６３（位置決め孔６３の長さ方向一端）と係合する。ここでは、リテーナ７の支持部６９は、コネクタハウジング３の長さ方向他端と接触し又は接触状態となっている。なお、リテーナ７のパイプ体係合部７１は、ガイド部５９に阻止されて、径方向外側に開くことができない。したがって、環状係合突部８５がパイプ体係合部７１の抜け止め面８９と抜け止め状態で係合し、パイプ体３７は第１のクイックコネクタ１に抜け止め状態で接続される。また、保持係合部９７を外しやすくするために、確認固定孔６５は幅広に形成され、かつ、確認固定孔６５の長さ方向一方側の周辺部は、長さ方向他方側の周辺部よりも低い平面部１０３として形成されている（図１等参照）。
【００３４】
なお、パイプ体３７がコネクタハウジング３内に挿入される前に、リテーナ７が長さ方向一方側に強く押されると、リテーナ７は第２の位置に移動するが、この状態で、パイプ体３７をコネクタハウジング３内に挿入しても、パイプ体３７の先端部がシール部４３に十分差し込まれないので（図１１参照）、漏れ検査時に確実に検査流体が漏れる。したがって、このような状態の配管接続構造がそのまま使用されるといったことはない。
【００３５】
次に、図１２乃至図１７を参照して本発明に係る第２のクイックコネクタを説明する。
【００３６】
第２のクイックコネクタ１０５は、例えばガラス繊維強化ポリアミド製である筒状のコネクタハウジング１０７と、コネクタハウジング１０７の長さ方向他端開口１０９からコネクタハウジング１０７内に嵌められた、例えばポリアミド製であるリテーナ１１１と、コネクタハウジング１０７の外周に嵌め付けられた、例えばポリアミド製であるチェッカー１１３と、を備えていて、自動車のガソリン燃料配管を構成するために用いられるものである。コネクタハウジング１０７は、長さ方向一方側がチューブ接続部９、そして長さ方向他方側がパイプ挿入部１１５として形成されていて、チューブ接続部９の構成及びチューブ接続部９に嵌め付けられる樹脂チューブ３１（図１８参照）の構成は、第１のクイックコネクタ１と同様なので、同一個所に同一の符号を付して説明を省略する。
【００３７】
パイプ挿入部１１５の長さ方向一方側のパイプ挿入孔個所の構成及びパイプ挿入部１１５の長さ方向中間のパイプ挿入孔個所の構成は、第１のクイックコネクタ１と同様なので、同一個所に同一の符号を付して説明を省略する。ただし、第２のクイックコネクタ１０５では、第１のクイックコネクタ１よりも、パイプ挿入孔３９が多少長く形成されている。
【００３８】
パイプ挿入部１１５の長さ方向他方側はリテーナ保持部１１７を形成し、このリテーナ保持部１１７のパイプ挿入孔１１９には、径方向対称位置で、一対の長さ方向に延びるパイプ体用凹部１２１が形成され、このパイプ体用凹部１２１と周方向に９０度ずれた径方向対称位置で、一対の長さ方向に延びる取り付け用凹部１２３が形成されている。パイプ体用凹部１２１は、長さ方向他方側のストッパ凹部１２５と、このストッパ凹部１２５よりも浅い、長さ方向一方側のガイド凹部１２７と、を有していて、ストッパ凹部１２５とガイド凹部１２７との間の段部１２９がストッパ部を形成する。取り付け用凹部１２３は、長さ方向中間で、底壁（リテーナ保持部１１７の周壁）に径方向に開けられた位置決め孔（位置決め凹部）１３１を有し、、長さ方向一端部に径方向に開けられた確認固定孔（確認固定凹部）１３３を有している。
【００３９】
リテーナ１１１は、通過孔１３５を有するドーナッツ状又は円環状の薄肉の支持部１３７と、この支持部１３７の裏面の径方向対称位置から長さ方向一方側に延びる一対のパイプ体係合部１３９と、支持部１３７の裏面の、パイプ体係合部１３９と周方向に９０度ずれた径方向対称位置から長さ方向一方側に延びる一対の取り付け部１４１と、を一体的に備えている。支持部１３７の外径は、コネクタハウジング１０７又はリテーナ保持部１１７の長さ方向他端の外径（例えば、取り付け用凹部１２３の外面同士の径方向間隔）とほぼ等しいように設定されている。
【００４０】
パイプ体係合部１３９は、支持部１３７の裏面から長さ方向一方側に延びる、支持部１３７と一体的に形成されたパイプ体用弾性変形脚部１４３と、このパイプ体用弾性変形脚部１４３の長さ方向一端部に一体的に設けられた係合固定部１４５と、を有し、パイプ体係合部１３９の外面は、断面形状で、長さ方向に沿った直線状に形成されている。支持部１３７の通過孔１３５（通過孔１３５の内周面）は、長さ方向一方側に向かってテーパ状に縮径するように形成され、パイプ体用弾性変形脚部１４３の径方向内面１４７は、断面形状で、この通過孔１３５の延長線として、長さ方向一方側に向かって径方向内側に傾斜して延びている（パイプ体用弾性変形脚部１４３の径方向内面１４７の長さ方向一端部は、長さ方向に沿った短い直線状に形成されている）。係合固定部１４５は、長さ方向部１４９と、この長さ方向部１４９の長さ方向一端部から径方向内側に突出する押し込み部１５１と、を一体的に有して断面Ｌ字状（長さ方向部１４９の長さ方向他端部に径方向内側への突出部を有するＬ字状）に形成されていて、係合固定部１４５の径方向内側は、パイプ体用弾性変形脚部１４３の径方向内面１４７の長さ方向一方側で、パイプ体３７の環状係合突部８５（図１８参照）と嵌り合う接続凹部１５３を形成している。接続凹部１５３は、パイプ体用弾性変形脚部１４３の径方向内面１４７の長さ方向一端から長さ方向一方側に向かって径方向外側に傾斜して延びる抜け止め面１５５と、この抜け止め面１５５の長さ方向一端から長さ方向一方側に延びる長さ方向面１５７と、この長さ方向面１５７の長さ方向一端から径方向内側に延びる押し込み面１５９と、を有している。
【００４１】
取り付け部１４１は、支持部１３７の裏面から長さ方向一方側に延びる、支持部１３７と一体的に形成された取り付け用弾性変形脚部１６１と、この取り付け用弾性変形脚部１６１の長さ方向一端部に一体的に設けられた、径方向外側に突出する保持係合部１６３と、を有し、保持係合部１６３の長さ方向他端面１６５は、長さ方向と直交又はほぼ直交するように形成されているが、保持係合部１６３の長さ方向一方側面１６７は、径方向外側に向かって長さ方向他方側に傾斜している。また、取り付け用弾性変形脚部１６１の径方向外面には補助係合部１６８が設けられている。
【００４２】
リテーナ１１１は、取り付け部１４１の取り付け用弾性変形脚部１６１の長さ方向一方側が、リテーナ保持部１１７の取り付け用凹部１２３内に収容され、保持係合部１６３が、リテーナ保持部１１７又は取り付け用凹部１２３の位置決め孔１３１内に嵌まり込んでこの位置決め孔１３１と抜け止め係合するように、第１の位置（図１３及び図１４参照）で、リテーナ保持部１１７に嵌め付けられている。第１の位置では、リテーナ１１１の長さ方向他方側は、コネクタハウジング１０７の長さ方向他端開口１０９から突出している。
【００４３】
チェッカー１１３は、円弧状に湾曲する断面四角形の棒状支持体１６９と、この棒状支持体１６９の両端部に設けられた取り付け係合部１７１と、それぞれの取り付け係合部１７１の周方向外端面１７３から円弧状に湾曲して短く延びる固定片部１７５と、を一体的に備えていて、取り付け係合部１７１は、長さ方向に延びる長さ方向部１７７と、この長さ方向部１７７の長さ方向他方側に、径方向内側に突出するように形成された保持係合部１７９と、長さ方向部１７７の長さ方向一方側に、径方向内側に突出するように形成された取り付け接触部１８１と、から一体的に形成されている。保持係合部１７９は断面台形状に形成され、保持係合部１７９の長さ方向一端面１８３は、長さ方向と直交又はほぼ直交するように形成されているが、保持係合部１７９の長さ方向他方側面１８５は、径方向内側に向かって長さ方向一方側に傾斜して持ち上げ面を形成している。取り付け接触部１８１も断面台形状に形成され、取り付け接触部１８１の長さ方向他方側面１８７は、径方向内側に向かって長さ方向一方側に傾斜している。取り付け接触部１８１の長さ方向他方側面１８７は、リテーナ保持部１１７の長さ方向一端部のテーパ外面１８９に沿うように湾曲し、取り付け接触部１８１の内端面１９１は、コネクタハウジング１０７のリテーナ取り付け部１１７よりも長さ方向一方側の外周面と同一の曲率半径で湾曲するように形成されていて、固定部１７５の内面１９３は、取り付け接触部１８１の内端面１９１を延長するように湾曲している。
【００４４】
チェッカー１１３は、保持係合部１７９が確認固定孔１３３に入り込み、保持係合部１７９の長さ方向一端面１８３が確認固定孔１３３の長さ方向一端と係合し、長さ方向部１７７の長さ方向他端面１９４が確認固定孔１３３の長さ方向他端と係合し、取り付け係合部１７１の長さ方向他方側の両側面が確認固定孔１３３の両側面と係合するように、コネクタハウジング１０７又はパイプ挿入部１１５に取り付けられる。また、チェッカー１１３は、保持係合部１７９と取り付け接触部１８１との間の長さ方向部１７７の内面（確認固定孔１３３の長さ方向一方側の周辺部又は周辺部外面と同一の曲率半径で湾曲するように形成されている）が、確認固定孔１３３の長さ方向一方側の周辺部外面（確認固定孔１３３の長さ方向一方側の周辺部外面は、確認固定孔１３３の長さ方向他方側周辺部外面よりも低く位置している）に沿って接触し、取り付け接触部１８１の長さ方向他方側面１８７が、リテーナ保持部１１７の長さ方向一端部のテーパ外面１８９に沿って接触し、取り付け接触部１８１の内端面１９１及び固定部１７５の内面１９３が、テーパ外面１８９に長さ方向一方側で隣接するコネクタハウジング１０７の外周面を挟み付けるようにして、コネクタハウジング１０７又はパイプ挿入部１１５に取り付けられる。ここでは、棒状支持体１６９は、コネクタハウジング１０７の外周面から浮き上がり、外周面に接触しないように構成されている。
【００４５】
第２のクイックコネクタ１０５のリテーナ１１１は、第１のクイックコネクタ１のリテーナ７とほぼ同一の構成であり、第２のクイックコネクタ１０５のリテーナ保持部１１７は、第１のクイックコネクタ１のリテーナ保持部４９と、チェッカー１１３に関する機能を除いて、ほぼ同一の機能を有しているので、図７、図８及び図１１などを参照して、第２のクイックコネクタ１０５をパイプ体３７に接続して第２の配管接続構造を構成する場合を説明することができる。
【００４６】
パイプ体３７は、第１の位置に保持されたリテーナ１１１の通過孔１３５を通ってコネクタハウジング１０７内に挿入される。パイプ体３７の環状係合突部８５の外径は、支持部１３７の通過孔１３５の長さ方向一端の内径とほぼ等しいように設定されているので、環状係合突部８５が通過孔１３５を通過するあたりから、環状係合突部８５は、パイプ体係合部１３９のパイプ体用弾性変形脚部１４３に長さ方向一方側の押圧力を作用させ始める。なお、取り付け部１４１の内面同士の径方向間隔は、環状係合突部８５の外径よりも広い。環状係合突部８５が接触するパイプ体用弾性変形脚部１４３の径方向内面１４７は、長さ方向一方側に向かって径方向内側に傾斜して延びているので、環状係合突部８５は、パイプ体用弾性変形脚部１４３を径方向外側に変形させながら、長さ方向一方側に進行する。したがって、環状係合突部８５からパイプ体用弾性変形脚部１４３に加わる長さ方向一方側の押圧力は、環状係合突部８５の進行にしたがって次第に大きくなっていく。ところが、リテーナ保持部１１７又は取り付け用凹部１２３の位置決め孔１３１内に嵌まり込んでこの位置決め孔１３１と係合している保持係合部１６３の長さ方向一方側面１６７は、径方向外側に向かって長さ方向他方側に傾斜している（図１６）。ここでは、パイプ体用弾性変形脚部１４３の径方向内面１４７の傾きを、保持係合部１６３の長さ方向一方側面１６７の傾きよりも緩く設定しているので、環状係合突部８５がパイプ体用弾性変形脚部１４３の径方向内面１４７と接触すると直ちに、保持係合部１６３が位置決め孔１３１から外れる又は抜け出るといったことはないが、やがて、次第に大きくなっていく環状係合突部８５から加わる押圧力が、保持係合部１６３の位置決め孔１３１への係合力を上回ることとなる。あるいは上回るおそれがある。しかしながら、このときには、径方向外側に変形したパイプ体用弾性変形脚部１４３にともなって、係合固定部１４５も径方向外側に移動し、ストッパ部１２９と係合しているので、リテーナ１１１は第１の位置に保持される（図７参照）。
【００４７】
パイプ体３７の環状係合突部８５がパイプ体用弾性変形脚部１４３を通過すると、パイプ体用弾性変形脚部１４３は、長さ方向に沿って延びるように弾性復帰し、環状係合突部８５は係合固定部１４５の接続凹部１５３とスナップ係合する。パイプ体用凹部１２１のガイド凹部１２７同士の径方向間隔は、弾性復帰したパイプ体係合部１３９又は係合固定部１４５の径方向外面同士の径方向間隔とほぼ等しいか、あるいは、弾性復帰したパイプ体係合部１３９又は係合固定部１４５の径方向外面同士の径方向間隔よりも若干大きいので、係合固定部１４５とストッパ部１２９との係合は解除される（図８参照）。
【００４８】
次に、パイプ体３７をさらにコネクタハウジング１０７内に押し込むと、パイプ体３７の環状係合突部８５は、パイプ体係合部１３９の押し込み部１５１又は押し込み面１５９と係合しているので、パイプ体３７の押し込みにともなって、保持係合部１６３の長さ方向一方側面１６７が位置決め孔１３１の長さ方向一端上をスライドし、保持係合部１６３が位置決め孔１３１から外れ（図１４に二点鎖線で示すような態様で変形して外れる）、リテーナ１１１が長さ方向一方側に移動する。そして、保持係合部１６３は、確認固定孔１３３内に嵌まり込んで抜け止め係合し、リテーナ１１１は第２の位置に移動して固定される（図１８、図１９及び図２０参照）。また、取り付け部１４１に設けられた補助係合部１６８は位置決め孔１３１（位置決め孔１３１の長さ方向一端）と係合する。
【００４９】
このとき、リテーナ１１１の保持係合部１６３の長さ方向一方側面１６７によって、チェッカー１１３の保持係合部１７９の持ち上げ面１８５が持ち上げられて、チェッカー１１３の取り付け係合部１７１が確認固定孔１３３から抜け出るので、必要であれば、チェッカー１１３を簡単にコネクタハウジング１０７から取り外すことができる（チェッカー１１３の取り付け係合部１７１が確認固定孔１３３から抜け出るときは、棒状支持体１６９が広げられる）。コネクタハウジング１０７の外周には、ストッパフランジ１９５が設けられていて、チェッカー１１３がチューブ接続部９から抜けて落下するのが防止される。ここでは、チェッカー１１３は、例えば、棒状支持体１６９の弾性復帰力により、全体的に、あるいは、長さ方向一方側が、リテーナ保持部１１７の長さ方向一端部のテーパ外面１８９よりも長さ方向一方側に移動する（図２０及び図２１参照）。図２０のように、チェッカー１１３をコネクタハウジング１０７の外周に取り付けたままにしておけば、第２のクイックコネクタ１０５をパイプ体３７から分離し、再びパイプ体３７に接続する場合にも、チェッカー１１３を再利用することができる。あるいは、図２１に示すように、チェッカー１１３をコネクタハウジング１０７から取り去ってもよい。また、リテーナ１１１の支持部１３７は、コネクタハウジング１０７の長さ方向他端と接触し又は接触状態となっている。なお、リテーナ１１１のパイプ体係合部１３９は、ガイド部１２７に阻止されて、径方向外側に開くことができない。したがって、環状係合突部８５がパイプ体係合部１３９の抜け止め面１５５と抜け止め状態で係合し、パイプ体３７は第２のクイックコネクタ１０５に抜け止め状態で接続される。また、確認固定孔１３３の長さ方向一方側の周辺部外面は、確認固定孔１３３の長さ方向他方側の周辺部外面よりも低くなっているので、保持係合部１６３を外しやすい。さらに、取り付け部１４１の補助係合部１６８が位置決め孔１３１と係合する。
【００５０】
なお、パイプ体３７がコネクタハウジング１０７内に挿入される前に、リテーナ１１１が長さ方向一方側に強く押されると、リテーナ１１１は第２の位置に移動するが、この状態で、パイプ体３７をコネクタハウジング１０７内に挿入しても、パイプ体３７の先端部がシール部４３に十分差し込まれないので（図１１参照）、漏れ検査時に確実に検査流体が漏れる。したがって、このような状態の配管接続構造がそのまま使用されるといったことはない。
【産業上の利用可能性】
【００５１】
本発明のクイックコネクタ及び配管接続構造は、自動車配管などに利用して、パイプ体とクイックコネクタとの接続不良の発生を効果的に防止できる。
【符号の説明】
【００５２】
１、１０５        クイックコネクタ
３、１０７        コネクタハウジング
７、１１１        リテーナ
９                チューブ接続部
４９、１１７      リテーナ保持部
６１、１２９      段部（ストッパ部）
６３、１３１      位置決め孔（位置決め凹部）
６５、１３３      確認固定孔（確認固定凹部）
７１、１３９      パイプ体係合部
７３、１４１      取り付け部
【図１】
2010270838.tif 000003
【図２】
2010270838.tif 000004
【図３】
2010270838.tif 000005
【図４】
2010270838.tif 000006
【図５】
2010270838.tif 000007
【図６】
2010270838.tif 000008
【図７】
2010270838.tif 000009
【図８】
2010270838.tif 000010
【図９】
2010270838.tif 000011
【図１０】
2010270838.tif 000012
【図１１】
2010270838.tif 000013
【図１２】
2010270838.tif 000014
【図１３】
2010270838.tif 000015
【図１４】
2010270838.tif 000016
【図１５】
2010270838.tif 000017
【図１６】
2010270838.tif 000018
【図１７】
2010270838.tif 000019
【図１８】
2010270838.tif 000020
【図１９】
2010270838.tif 000021
【図２０】
2010270838.tif 000022
【図２１】
2010270838.tif 000023